(57)【特許請求の範囲】
【請求項１】
ＤＶＤビデオディスクの識別記号を取込むディスク識別記号取込み部と、
ディスク装填時に自動再生する付属映像データ部分のユーザ操作制御情報を取込むユーザ操作制御情報取込み部と、
前記ディスク識別記号取込み部から入力したディスク識別記号毎に、前記ユーザ操作制御情報のうち実質的なスキップ操作が可能か否かに関する情報を記憶するユーザ操作制御情報メモリ部と、
装填したディスクの再生がこのプレーヤで初回であるか否かを検出する同一ディスク初回再生検出部と、
前記同一ディスク初回再生検出部による初回再生検出時に前記ユーザ操作制御情報を前記ユーザ操作制御情報メモリ部に記憶し、初回再生検出時以外の時には前記ユーザ操作制御情報メモリ部から再生中のディスク識別記号に対応する実質的なスキップ操作が可能か否かに関する情報を読み出すユーザ制御情報入出力部と、
前記ユーザ制御情報入出力部で実質的なスキップ操作が可能であることが読み出されたときに、前記実質的なスキップ操作を行う再生制御部とを備えたことを特徴とするＤＶＤビデオプレーヤ。
【請求項２】
前記実質的なスキップ操作に関する情報は停止操作の情報であり、停止操作が可能の時には前記再生制御部が停止操作後に再生操作を行うことを特徴とする請求項１記載のＤＶＤビデオプレーヤ。
【請求項３】
前記実質的なスキップ操作に関する情報は早送り操作の情報であり、早送り操作が可能の時には前記再生制御部はタイトルが変更したデータが入力するまで早送り操作を行い、その後再生操作を行うことを特徴とする請求項１記載のＤＶＤビデオプレーヤ。
【請求項４】
前記実質的なスキップ操作に関する情報は停止操作と早送り操作の情報であり、
前記再生制御部は、前記停止操作が可能の時には停止操作後に再生操作を行い、停止操作が可能ではなく早送り操作が可能の時には早送り操作を行う請求項１記載のＤＶＤビデオプレーヤ。
【発明の詳細な説明】
【０００１】
【発明の属する技術分野】
本発明は、一度自動再生した宣伝映像等の本編映像部分に付属している映像部分を、２度目以降の再生時には飛ばして、本編の映像部分から再生することができるようにしたＤＶＤビデオプレーヤに関する。
【０００２】
【従来の技術】
近年、ＣＤサイズの小型のディスクに大量のデータを記録することができるＤＶＤディスクに対して、ＭＰＥＧ２のデータ圧縮方式によって長時間の映画、カラオケソフト、ゲーム等、映像と音声を記録する技術が進歩し、これを再生するＤＶＤビデオプレーヤが広範囲に普及している。
【０００３】
このようなＤＶＤビデオプレーヤには、このプレーヤにＤＶＤビデオディスクを装填したときに自動的に再生する自動再生機能を備えており、ユーザが再生操作を行わなくても所定の最初の部分から再生することができる。このような自動再生機能を利用して、ＤＶＤビデオディスクソフトの制作者は、ＤＶＤビデオディスクの中に自社等の宣伝映像を本編に付属する映像部分として記録し、ユーザがＤＶＤビデオディスクをプレーヤに装填したとき、自動的にその宣伝映像部分の再生を開始し、その再生が終了してから引き続き本編の映像の再生を始めるように設定することが多い。
【０００４】
このような宣伝映像は、ユーザにとってはある程度の参考にはなるものの、同じものをたびたび見ることは苦痛でもあり、強い抵抗感を感じる。したがって、できたらこの部分は飛ばして本編の映像から再生することを望むのが通常であり、少なくとも１度見たこのような宣伝映像は２度目からはこれを飛ばしてみることが望まれる。また、このＤＶＤビデオディスクの制作会社も、１度宣伝映像を見てもらったら、以降はユーザに上記のような苦痛を与えることは好ましいことではないと考える場合が多い。
【０００５】
【発明が解決しようとする課題】
しかしながら、現在のＤＶＤビデオプレーヤにおいては、同一ディスクの２度目以降の再生時にこの宣伝映像をスキップする機能を備えていない。即ち、ＤＶＤビデオディスクのデータ中には、細分化した各データ領域に毎に「ユーザ操作制御情報」が記録されており、前記のような宣伝映像部分のデータ中には、次の画面に再生位置を飛ばす「Ｆ．ＳＫＩＰ」操作を無効とするデータをこのユーザ操作制御情報部分に書き込み、それによりユーザがＤＶＤビデオディスクをプレーヤに装填したとき、前記のように自動的に宣伝映像部分から再生を開始し、ユーザがこれを飛ばしたいと思って「Ｆ．ＳＫＩＰ」キーを押してもこの操作が無効とし、結局、必ずこの宣伝映像を見なければならないように設定していることが多い。
【０００６】
このため、上記のように、同じプレーヤで一度再生したことのある宣伝映像でもこのＤＶＤディスクをプレーヤに装填する度に見なければならず、また、ディスクの制作会社はユーザに強い抵抗感を与えても見せなければならず、そのため２度目以降の再生時にこれを飛ばして本編の映像を見ることができるようにする機能が求められていた。
【０００７】
したがって、本発明は、ＤＶＤビデオディスクの再生に際して、１度見た宣伝映像等の本編映像部分に付属している映像部部はできる限り早く飛ばして、本編の映像を早く見ることができるようにしたＤＶＤビデオプレーヤを提供することを目的とする。
【０００８】
【課題を解決するための手段】
本発明は、上記課題を解決するため、ＤＶＤビデオディスクの識別記号を取込むディスク識別記号取込み部と、ディスク装填時に自動再生する付属映像データ部分のユーザ操作制御情報を取込むユーザ操作制御情報取込み部と、前記ディスク識別記号取込み部から入力したディスク識別記号毎に、前記ユーザ操作制御情報のうち実質的なスキップ操作が可能か否かに関する情報を記憶するユーザ操作制御情報メモリ部と、装填したディスクの再生がこのプレーヤで初回であるか否かを検出する同一ディスク初回再生検出部と、前記同一ディスク初回再生検出部による初回再生検出時に前記ユーザ操作制御情報を前記ユーザ操作制御情報メモリ部に記憶し、初回再生検出時以外の時には前記ユーザ操作制御情報メモリ部から再生中のディスク識別記号に対応する実質的なスキップ操作が可能か否かに関する情報を読み出すユーザ制御情報入出力部と、前記ユーザ制御情報入出力部で実質的なスキップ操作が可能であることが読み出されたときに、前記実質的なスキップ操作を行う再生制御部とを備えたことを特徴とするＤＶＤビデオプレーヤとしたものである。
【０００９】
また、他の態様として、前記実質的なスキップ操作に関する情報は停止操作の情報であり、停止操作が可能の時には前記再生制御部が停止操作後に再生操作を行うようにしたものである。
【００１０】
また、他の態様として、前記実質的なスキップ操作に関する情報は早送り操作の情報であり、早送り操作が可能の時には前記再生制御部はタイトルが変更したデータが入力するまで早送り操作を行い、その後再生操作を行うようにしたものである
【００１１】
また、他の態様として、前記実質的なスキップ操作に関する情報は停止操作と早送り操作の情報であり、前記再生制御部は、前記停止操作が可能の時には停止操作後に再生操作を行い、停止操作が可能ではなく早送り操作が可能の時には早送り操作を行うようにしたものである。
【００１２】
【発明の実施の形態】
本発明の実施の形態を図面に沿って説明する。図１は本発明のＤＶＤビデオプレーヤにおいて、自動再生される宣伝映像等の本編付属の映像部分を自動的にスキップし、あるいは早送りする機能を実現するための機能ブロックを中心に記載した図である。このＤＶＤビデオプレーヤにおいては、通常この種のプレーヤと同様に、ＤＶＤビデオディスク１は、スピンドルモータ２により回転するテーブル３に固定され、所定の速度で回転制御されている。このＤＶＤビデオディスク１に対して、図中の実施例においてはディスクの下面に形成した記録層に対向して光学ピックアップ４を配置しており、光学ピックアップ４から対物レンズを通して所定位置に焦点を結ぶ半導体レーザ光を照射し、ディジタルディスクから反射してくるレーザ光を再び対物レンズを通してフォトダイオードで受光し、それによりディスクに記録されたＲＦ信号を再生している。
【００１３】
このＲＦ信号はＲＦアンプ５で増幅されてＤＶＤデータプロセッサ６に入り、このＤＶＤデータプロセッサ６ではＭＰＥＧデータを復調するとともに、誤り訂正処理、ＭＰＥＧビデオデータとオーディオデータ、サブピクチャデータとの分離処理、及び後述するディスク識別記号やユーザ操作制御情報等の各種管理情報、アドレス情報の抽出処理等のディジタル信号処理を行う。ＭＰＥＧビデオデコーダ７は、ＤＶＤデータプロセッサ６で分離されたＭＰＥＧビデオデータに基づいてＭＰＥＧ２の画像データを復号化する。また、サブピクチャデータはサブピクチャデコーダ１２で複合化される。
【００１４】
復号化された映像データとサブピクチャデータは、ビデオプロセッサ８に入力され、２つのデータを合成した画像データを生成する。さらに、ビデオエンコーダ９によって映像信号が作られる。オーディオデコーダ１０は、ＤＶＤプロセッサ６で分離されたオーディオデータに基づいて音楽データを復号化する。この復号化された音楽データは、ディジタル−アナログ（Ｄ／Ａ）変換器１１を通すことによって、アナログの音楽信号に変換される。
【００１５】
ＤＶＤビデオディスク１に記録されたデータは、所定のフォーマット基準に沿ってフォーマットされており、図４に示すようにフォーマットされる。即ち、
図４（ａ）にはこのディスクにおける記録順のデータ構成を示しており、このうち主たるデータ記録領域であるＤＶＤ−ＶＩＤＥＯ領域は、同図（ｂ）に示すように全体の管理情報領域としてのＶＭＧと、９９個まで分割可能なＶＴＳとから構成されている。このＶＭＳは同図（ｃ）に示すように、このディスクの主たる管理領域としてのＶＭＧＩと、タイトル・メニュー用ＶＯＢＳと、ＶＭＧＩのバックアップから構成されている。このうちＶＭＧＩは、同図（ｄ）に示すような種々のデータが記録されている。
【００１６】
また、図（ｂ）の各ＶＴＳは、図（ｅ）に示すように管理情報領域としてのＶＴＳＩと、そのほか示するようなデータが記録されている。各ＶＴＳＩについては図（ｆ）に示すような種々のデータが記録されており、このうち特にタイトル再生用ＰＣＧ情報テーブルの中には、ユーザーによるＳＴＯＰ、ＦＦ、ＦＳＫＩＰ等の操作を有効にするか否かの情報が記録され、本発明においてはこの情報を読み取り、後述するような作動を行うこととなる。
【００１７】
このＤＶＤビデオディスクに記録されているデータが映画である場合は、この映画を再生するための情報がＶＴＳＩに記録され、１作品となるビデオ、オーディオ等の情報がタイトル用ビデオ・オブジェクト・セット（ＶＯＢＳ）に記録される。このＶＯＢＳは図５に示すように、１群の記録データとして管理される複数のビデオオブジェクト（ＶＯＢ）からなる。このＶＯＢは映画では１シーンや１カット等の単位となるセル（Ｃｅｌｌ）の集合で構成され、このＣｅｌｌの再生時間は数分から十数分程度となっている。
【００１８】
各Ｃｅｌｌは複数のビデオオブジェクトユニット（ＶＯＢＵ）によって構成され、このＶＯＢＵは全再生時間が０．４秒から１．２秒単位のデータが記録される。このＶＯＢＵの中には、ＭＰＥＧ２のフォーマットにおける複数のグループオブピクチャーが含まれる。このＶＯＢＵは、ＶＯＢＵを管理する情報を記録したナビゲーションパック（ＮＶパック：ＮＶ−ＰＣＫ）と、主映像を記録したビデオパック（Ｖパック：Ｖ−ＰＣＫ）と、音声データを記録したオーディオパック（Ａパック：Ａ−ＰＣＫ）と、字幕等の副映像データを記録したサブピクチャーパック（ＳＰパック：ＳＰ−ＰＣＫ）とにより構成されている。
【００１９】
各ＶＯＢＵは前記ＮＶパックと呼ばれる管理パック内のデータに基づき管理される。このＮＶパックには、ＶＯＢＵ全体の管理データとして、このＶＯＢＵの再生時間が記録され、また、ＮＶパックにより再生が制御される主映像を記録したＶパックのサイズが記録されている。そのほか、このＮＶパックには、このＮＶパックのアドレス、カテゴリー、ユーザ操作の制御情報が記録され、そのほか、このＶＯＢＵが含まれているＣｅｌｌの先頭からの経過時間等、種々の管理データが記録されている。
【００２０】
このＮＶパックのデータ構成としては、例えば図６に示すように、映像データ表示の制御情報であるプレゼンテーション・コントロール・インフォメーション（ＰＣＩ）と、各データのサーチ情報であるデータ・サーチ・インフォメーション（ＤＳＩ）とを備えている。また、前記ＰＣＩには、このＰＣＩ全体の管理情報と、ノンシームレスの場合のアングル切換情報と、副映像等を表示する際に所定領域にハイライト表示をするための情報と、主映像データ、副映像データ、音声データのレコーディング情報等が記録されている。また、前記ＤＳＩには、このＤＳＩ全体の管理情報（ＤＳＩ  ＧＩ）と、シームレスの場合の再生管理情報（ＳＭＬ  ＰＢＩ）と、シームレスの場合のアングル情報（ＳＭＬ  ＡＧＬＩ）と、ＶＯＢＵ間の時間間隔等のＶＯＢＵ検索情報（ＶＯＢＵ  ＳＲＩ）と、音声データ及び副映像データと時間的な一致を示すシンクロ情報（ＳＹＮＣＩ）等が記録されている。
【００２１】
更に、前記ＤＳＩの管理情報（ＤＳＩ  ＧＩ）には、このＮＶパックのシステムクロック基準（ＮＶ  ＰＧＫ  ＳＣＲ）、このＮＶパックのアドレス（ＮＶ  ＰＣＫ  ＬＢＮ）、このＶＯＢＵのエンドアドレス（ＶＯＢＵ  ＥＡ）、ＶＯＢＵに関するユーザ操作制御情報等の各種データ群、及びこのＶＯＢＵが含まれているセルの先頭からの経過時間（Ｃ  ＥＬＴＭ）等が記録されている。
【００２２】
上記のようなＤＶＤビデオディスクのデータ構成により、各ディスク毎にディスクの読み込み開始部にディスク固有の識別記号が記録され、また、例えば図４のＶＴＳ＃１のタイトル用ＶＯＢＳを映画の本編とし、ＶＴＳ＃２のタイトル用ＶＢＳを映画製作会社、ソフトメーカー等の宣伝用映像に設定するとともに、この部分を自動再生時の最初に再生する映像に設定することができる。また、この宣伝用映像の再生に必要な前記ＶＴＳＩ、及びこの映像を記録したビデオオブジェクト（ＶＯＢ）中の各ビデオオブジェクトユニット（ＶＯＢＵ）のＮＶパックには、ユーザ操作情報としての停止（Ｓｔｏｐ）操作、あるいは早送り（ＦＦ）操作、あるいは前方へのスキップ（Ｆ−Ｓｋｉｐ）操作を無効とするデータ等の制御情報、即ちユーザ操作制御情報を任意に書き込むことができる。したがって、各ＤＶＤビデオディスクによって、前方へのスキップ操作を禁止し、また、停止操作及び早送り操作を全て禁止するように設定したもの、また、停止操作のみを禁止するように設定したもの等種々のものが存在する。
【００２３】
また、上記のように自動再生時に最初に再生するように設定している宣伝用映像部分における、ＶＴＳＩやＮＶパックに記録されているユーザ操作制御情報においては、この部分の自動再生中に停止操作が行われ停止した後に、続いて通常の再生操作を行うと、ＤＶＤプレーヤはその停止部分からの再生ではなく、本編の最初の部分にスキップして再生を行うように設定されているものが多い。これは、ユーザが特に上記のような宣伝用映像を好まない人である場合は、宣伝用映像を強制的に何度も見せることはかえってディスク制作会社や映画会社にとって逆効果となることを配慮しているためと想像される。
【００２４】
但し、このような宣伝用映像スキップ機能は必ずしも全てのＤＶＤディスクに設けられているわけではなく、逆に、この宣伝用映像部分は必ず見せるものとして、この映像の管理データ部分には停止操作を無効とするデータを書き込んでいるものもあり、また、あるディスクはこの部分を早送りしてしまって、ユーザが宣伝用映像部分に対して実質的にスキップする操作をしてしまうことを防止しているディスクも存在する。
【００２５】
本発明は、上記のような種々のＤＶＤディスクに記録されたユーザ操作制御情報の存在を考慮して、図１に示すような機能ブロックによって自動再生宣伝映像等、ユーザにとっては少なくとも２度目は見たくない自動再生不要な本編付属映像のスキップ、早送り機能を行うものである。
【００２６】
即ち、前記ＤＶＤデータプロセッサ６で分離された前記ＶＴＳＩ及びＮＶパックのディスク管理データは、ディスク管理データ取込み部１４に取込まれ、そのうち特に、ディスクの最初の管理情報部分に記録されているディスク識別記号を、ディスク識別記号取込み部１５に取込む。また、前記のようにＤＶＤディスク装填時に最初に自動再生される本編付属映像部分の、停止、早送り、再生等のユーザの操作に対して制御を行うＶＴＳＩ及びＮＶパックの管理情報は共に、自動再生不要な付属映像中のユーザ操作制御情報取込み部１６に取込まれる。
【００２７】
ディスク識別記号取込み部１５のディスク識別記号データは、このＤＶＤビデオプレーヤに装填されたディスクが初めて再生されるものであるか否かを検出する同一ディスク初回再生検出部１７にデータを出力している。また、自動再生不要な付属映像中のユーザ操作制御情報取込み部１６のデータは、ユーザ操作制御情報入出力部１８に出力している。ユーザ操作制御情報入出力部１８では、ユーザ操作制御情報メモリテーブル１９にデータを記録し、またここから所定のデータを読み出すデータの入出力管理を行う。
【００２８】
ユーザ操作制御情報入出力部１８は、前記同一ディスク初回再生検出部１７に対して、そこに入力された現在装填されているディスクの識別記号が、後述するユーザ操作制御情報メモリテーブル１９に記録されているか否かを出力し、その記録が存在しないディスクであるときには、同一ディスク初回再生検出部１７が現在装填されているディスクはこのプレーヤで初めて再生されるディスクであると判別する。また、ユーザ操作制御情報メモリテーブル１９に既に同一ディスク識別記号のデータが存在するディスクであるときには、２回目以上再生されるディスクであって、少なくとも初めて再生するディスクではないと判別する。
【００２９】
更に、同一ディスク初回再生検出部１７において、上記のようにして現在再生を開始したディスクがこのプレーヤで初めて再生されるディスクであると判別されたときには、ユーザ操作制御情報入出力部１８に信号を出力し、このときユーザ操作制御情報入出力部１８は自動再生不要な付属映像中のユーザ操作制御情報取込み部１６のデータを入力し、ユーザ操作制御情報メモリテーブル１９にそのデータを記録する。
【００３０】
ユーザ操作制御情報メモリテーブル１９は図に示すように、少なくともディスク識別記号、Ｓｔｏｐ、ＦＦの欄を備え、「ディスク識別記号」の欄には、各ＤＶＤビデオディスク固有の識別番号等の識別記号を記録する。また「Ｓｔｏｐ」の欄には、ＤＶＤビデオディスクを装填したときに自動再生が行われる、前記のような自動再生不要な付属映像の管理データ中におけるユーザ操作制御情報の中に、ユーザが停止（Ｓｔｏｐ）操作を行った時にそれを無効とするデータが書き込まれているか否かを、図示実施例においては１と０で表しており、例えば１の時には、無効とするデータが書き込まれていないので停止操作を行うことができることを、また０の時には、無効とするデータが書き込まれているので、停止操作を行うことができないことを各々示している。
【００３１】
また、「ＦＦ」の欄には、上記のようなユーザ操作制御情報の中に、ユーザが早送り（ＦＦ）操作を行ったときにそれを無効とするデータが書き込まれているか否かを、図示実施例では前記Ｓｔｏｐの欄と同様に１と０で表しており、例えば１の時には無効とするデータが書き込まれていないので早送り操作を行うことができることを、また０の時には無効とするデータが書き込まれているので、早送り操作を行うことができないことを各々示している。このように、Ｓｔｏｐが可能か否かの表示に際しては、前記ＶＴＳＩの部分、及びＮＶパックの部分において、共に「操作が有効」である旨の記録が存在するときにのみ、その操作が有効である旨の表示を行うようにする。なお、このユーザ操作制御情報メモリテーブル１９には、必要に応じて上記以外の各種のデータを記入しておくこともできる。
【００３２】
ユーザ操作制御情報入出力部１８では、同一ディスク初回再生検出部１７で、前記のように装填されたディスクが初めて再生するディスクであることを検出したときに、ユーザ操作制御情報メモリテーブル１９の各欄に対応する上記データを記録するものであるが、同一ディスク初回再生検出部で、少なくとも初めて再生されるディスクではないことを検出したときには、ユーザ操作制御情報入出力部１８は読み込まれたそのディスクの識別記号に対応するユーザ操作制御情報を前記テーブルから入力し、そのディスクは「Ｓｔｏｐ」操作が有効であるか否か、「ＦＦ」操作が有効であるか否か等の情報を自動再生不要映像スキップ制御部２０に出力する。
【００３３】
このようにして自動再生不要映像スキップ制御部２０にそのデータが入力されると、最初に「Ｓｔｏｐ」操作が有効であるか否かの判別をＳｔｏｐ有効判別部２３で行い、有効であるとき、即ち図示実施例において、例えばユーザ操作制御情報メモリテーブル１９のディスク識別記号０００１、０００７のディスクが再生されたときには、このＳｔｏｐ有効判別部２３が有効と判別し、再生制御部２４のＳＴＯＰ−ＰＬＡＹ実行部２６に実行信号を出力する。また、ディスク識別記号００１２、００５６が再生されたときのように、Ｓｔｏｐ操作が無効とされていると判別したときには、自動再生不要映像スキップ制御部２０にその旨の信号を出力し、この自動再生不要映像スキップ部２０では次にＦＦ有効判別部２２に対応するデータを出力する。
【００３４】
ＦＦ有効判別部２２では、そのディスクのＦＦ操作が有効であるとき、即ち図示実施例において、例えばディスク識別記号０００７、００１２のディスクが再生されたときには、このＦＦ有効判別部２２が有効と判別し、再生制御部２４のＦＦ実行部２５に実行信号を出力し、ディスク識別記号０００１、００５６のディスクが再生されたときのような場合は、ＦＦ実行部２５に対して実行信号は出力しない。
【００３５】
なお、図示実施例において、ディスク識別記号０００１はＦＦが無効と記録されているが、Ｓｔｏｐが有効であるので、前記のようにＳｔｏｐ有効判別２３でその有効が検出される結果、ＦＦ有効判別部は作動することがないようにしており、この場合においてこのデータはあまり意味を持たないこととなる。また、ディスク識別記号００５６はＳｔｏｐ操作も、ＦＦ操作も無効とするデータが書き込まれているので、この自動再生される本編に付属する映像データ部分の再生時には、両作動とも無効とされ、そのためディスクを装填したときは常にこの部分の全ての映像を通常通り再生した後に本編の映像の再生が行われる。
【００３６】
前記Ｓｔｏｐ有効判別２２においてＳｔｏｐ操作が有効であると判別されたときに作動するＳＴＯＰ−ＰＬＡＹ実行部２６においては、駆動制御信号出力部２７のＳＴＯＰ駆動制御部２９と、ＰＬＡＹ駆動制御部３０に順次信号を出力する。即ち、最初ＳＴＯＰ駆動制御部２９に出力してモータドライバ１３によりスピンドルモータ２の駆動を停止し、ＤＶＤビデオディスク１の回転を停止する。次いでＰＬＡＹ駆動制御部３０に出力し、上記と同様の作動によりスピンドルモータの再生駆動を行い、ＤＶＤビデオディスクを再生する。
【００３７】
このように、自動再生不要な付属映像データ中のユーザ操作制御情報の中にＳｔｏｐ操作を有効としているディスクは、その自動再生不要データの再生中に停止（Ｓｔｏｐ）した後、再生（Ｐｌａｙ）作動させると、この宣伝映像等の付属映像をその部分からスキップして直ちに本編の映像の再生を行うように設定されているものが多いため、図示されない通常の再生制御機能によってこのＤＶＤビデオディスクは本編から再生することができる。
【００３８】
一方、上記のように自動再生不要な本編に付属する映像データ中のユーザ操作制御情報にＳｔｏｐ操作を無効とするデータが記録されているディスクにおいて、ＦＦ操作が有効であると判別されたディスクについては、直ちにＦＦ作動がＦＦ実行部２５によって行われるが、ディスク管理データ取込み部１４から自動再生不要な付属映像データ部分の早送り再生が終了して、次の本編の部分の再生に入ったことを、管理データ中に記録されているタイトル番号の変更を、タイトル番号変更検出部２１によって検出し、ＦＦ実行部２５はその信号が入力されたときに作動中のＦＦ操作を停止し、その部分から通常の再生作動に切り換える。その結果、自動再生される本編に付属の映像部分に対しては、実質的なスキップ操作が行われる。
【００３９】
上記のような機能を行う機能ブロックの構成において、このＤＶＤビデオプレーヤは図２に示すフローにより作動することができ、この作動フローを前記図１の機能ブロック図を参照しつつ説明する。ＤＶＤビデオディスクの再生処理において、このＤＶＤビデオプレーヤにディスクを装填すると（ステップＳ１）、直ちに自動再生が行われる（ステップＳ２）。ここで自動再生される映像は宣伝用の映像であり、これを一度見たことのあるユーザにとっては２度目は見たくない映像部分である。
【００４０】
そのディスクの最初の読出し部分の管理データは、ディスク管理データ取込み部１４の識別記号取込み部１５に取込まれ（ステップＳ３）、更に同一ディスク初回再生検出部１７において、前記のようにユーザ操作制御情報入出力部１８を介してユーザ操作制御情報メモリテーブル１９にアクセスし、このテーブルに何らかのデータが書き込まれたことのあるディスクであるか否かによって、そのプレーヤで初めて再生するディスクか否かを判別する（ステップＳ４）。
【００４１】
ここで、初めて再生するディスクではないと判別されたときは、以降、後述する図２に示す自動再生不要な付属映像スキップ処理を行う（ステップＳ９）。また、ここで初めて再生するディスクであると判別されたときには、自動再生不要な付属映像データ中における前記ディスク識別記号、ユーザ操作制御情報取込み部１６に取込まれたＳｔｏｐ操作、及びＦＦ操作を有効としているか否かの情報等を、ユーザ操作制御情報入出力部１８が取込み（ステップＳ５）、これをユーザ操作制御情報メモリテーブル１９にディスク識別記号毎に記録する（ステップＳ６）。なお、必要に応じて図示する以外にも、種々のユーザ操作制御情報を記録することができる。
【００４２】
このようにして、そのプレーヤで初めて再生するＤＶＤビデオディスクである場合には、自動再生される宣伝用映像等の本編付属の映像を全て再生し、続いて本編の映像の再生が開始し、これを視聴することとなる。この再生は、特にユーザからの停止操作等がないときにはその再生作動を継続し、ＤＶＤビデオディスクの映像再生が全て終了したときに（ステップＳ７）このフローを終了する（ステップＳ８）。また、途中で停止操作が行われその後の操作がないときにも再生終了とされる。
【００４３】
上記ステップＳ４において、装填されたＤＶＤビデオディスクがそのプレーヤで初めて再生するディスクではないと判別されたときには、図３に示す自動再生不要な付属映像スキップ処理が行われる。その処理において最初に、ユーザ操作制御情報メモリテーブル１９から、現在装填したディスクの識別記号に対応するユーザ操作制御情報のデータ、即ち図示実施例においてはＳｔｏｐ、ＦＦの作動を無効にしているか否かのデータを読込む（ステップＳ１１）。
【００４４】
次に、自動再生不要映像スキップ制御部２０において、Ｓｔｏｐ操作が有効であるか否かの判別をＳｔｏｐ有効判別部２３で行なわせる（ステップＳ１２）。ここでＳｔｏｐ操作が有効であると判別されたときには、ＳＴＯＰ−ＰＬＡＹ実行部２６において最初Ｓｔｏｐ作動を実行し（ステップＳ１７）、続いてＰｌａｙ作動を実行する（ステップＳ１８）。それによりこのＤＶＤビデオディスクは自動再生不要の付属映像部分をスキップして自動的に本編の再生が開始される（ステップＳ１９）。それにより、装填されたＤＶＤビデオディスクがこのプレーヤで初めて再生されるディスクではないとき、即ちそのディスクの２度目以降の再生時には、ディスクをプレーヤの装填して自動再生が開始されたときにこのプレーヤが自動的に停止操作を行い、直ちに再生操作を行うことにより本編の映像部分にスキップしてその映像の再生を開始することができる。
【００４５】
一方、前記ステップＳ１２において、このディスクの自動再生不要な付属映像部分の管理データにＳｔｏｐ操作が有効ではない、即ち無効とするデータが記録されているときには、ＦＦ有効判別部２２においてＦＦ操作が有効であるか否かの判別を行う（ステップＳ１３）。その結果有効ではない、即ちこの部分を早送りすることができない旨のデータが書き込まれていたときには、そのまま再生制御部２４で通常再生を行う（ステップＳ１４）。
【００４６】
また、前記ステップＳ１３においてＦＦ操作が有効であると判別されたときには、ＦＦ実行部２５によりＦＦ作動を実行する（ステップＳ１５）。その後、図１のタイトル番号変更検出部２１においてタイトル番号の変更が検出されたときには（ステップＳ１６）、前記自動再生されるユーザが不要とする付属映像部分の早送りが終了して本編の映像部分となったことが検出されたこととなるので、その部分から通常の再生を行う（ステップＳ１４）。以降は図２のステップＳ７に進み、前記と同様にこのディスクの再生が終了したか否かが判別され、最後に全てのＤＶＤビデオディスクの再生処理は終了する（ステップＳ８）。
【００４７】
なお、上記実施例においては、ユーザ操作制御情報として停止操作と早送り操作を検出し、これを実質的なスキップ操作に関する情報として、それにより再生制御部２４では停止操作が可能の時には停止操作後に再生操作を行い、停止操作が可能ではなく早送り操作が可能の時には早送り操作を行うようにしたものであるが、そのほかユーザ操作制御情報として前記停止操作と早送り操作のいずれか一つの操作とし、それに対応した再生作動を行わせることもできる。
【００４８】
したがって、例えばユーザ操作制御情報として停止操作のみを検出するものにおいては、前記実施例において早送りに関する処理を行わないように制御手段を簡素化することもでき、また早送り操作のみを検出するものにおいては上記実施例において停止操作に関する処理を行わないようにし、これによっても制御手段を簡素化することができる。
【００４９】
【発明の効果】
本発明は、上記のように構成したので、ＤＶＤビデオディスクの再生に際して、１度そのＤＶＤビデオプレーヤで再生した宣伝映像等の本編再生の前に自動再生される付属映像は、自動的に実質的なスキップ操作が行われ、早く本編の映像を見ることができるようになる。
【００５０】
また、前記実質的なスキップ操作に関する情報は停止操作の情報であり、停止操作が可能の時には前記再生制御部が停止操作後に再生操作を行うようにしたものにおいては、ＤＶＤビデオプレーヤの停止操作後に再生操作を行うと自動的に本編の最初から再生する特性を用いて、素早く本編の再生を行うことができる。
【００５１】
また、前記実質的なスキップ操作に関する情報は早送り操作の情報であり、早送り操作が可能の時には前記再生制御部はタイトルが変更したデータが入力するまで早送り操作を行い、その後再生操作を行うようにしたものにおいては、宣伝映像等の本編再生の前に自動再生される付属映像を、自動的に実質的なスキップ操作で飛ばして素早く本編の再生を行うことができる。を行うことができる。。
【００５２】
また、前記実質的なスキップ操作に関する情報は停止操作と早送り操作の情報であり、前記再生制御部は、前記停止操作が可能の時には停止操作後に再生操作を行い、停止操作が可能ではなく早送り操作が可能の時には早送り操作を行うようにしたものにおいては、最も素早く実質的なスキップ操作を行うことができる、停止操作後の再生操作による本編への実質的なスキップ操作が可能なときにはこれを行い、この機能を利用することができないときには早送り操作により実質的なスキップ操作を行うことにより、効率よい実質的なスキップ操作を行うことができる。
【図面の簡単な説明】
【図１】本発明の実施例における、自動再生不要な付属映像を実質的にスキップ操作する機能を中心とした機能ブロック図である。
【図２】本発明の実施例のＤＶＤビデオディスク再生処理の全体を示す作動フロー図である。
【図３】図２の作動フローの一部である、自動再生不要な付属映像スキップ処理部分の作動フロー図である。
【図４】  ＤＶＤビデオディスクのデータ記録の構成を示すデータ構成図である。
【図５】同、データ記録中のＶＯＢＳ部分のデータ構成図である。
【図６】同、ＶＯＢＵの管理データ部分のデータ構成図である。
【符号の説明】
１  ＤＶＤビデオディスク
４  光学ピックアップ
６  ＤＶＤデータプロセッサ
１３モータドライバ
１４  ディスク管理データ取込み部
１５  ディスク識別記号取込み部
１６  自動再生不要な付属映像中のユーザ操作制御情報取込み部
１７  同一ディスク初回再生検出部
１８  ユーザ操作制御情報入出力部
１９  ユーザ操作制御情報メモリテーブル
２０  自動再生不要映像スキップ制御部
２１  タイトル番号変更検出部
２２  ＦＦ有効判別部
２３  Ｓｔｏｐ有効判別部
２４  再生制御部
２５  ＦＦ実行部
２６  ＳＴＯＰ−ＰＬＡＹ実行部
【図１】
0003717148.tif 000002
【図２】
0003717148.tif 000003
【図３】
0003717148.tif 000004
【図４】
0003717148.tif 000005
【図５】
0003717148.tif 000006
【図６】
0003717148.tif 000007